(57)【要約】    【課題】  内部アンテナ接続ケーブルを不要とし、コストの低減を図ると共に省スペース化、小型化を図り、更にアンテナを接続する場合の接続箇所を少なくし、ケーブル長を短くして信号の劣化を防止し、更に消費電力の低減を図る。    【解決手段】  内部アンテナ４と、該内部アンテナに接続された内部アンテナケーブル６と、該内部アンテナケーブル先端に設けられた内部アンテナ用コネクタ１６と、通信機本体側面に設けられたアンテナ用コネクタ９とを具備し、該アンテナ用コネクタには前記内部アンテナ用コネクタが接続可能であると共に外部アンテナに接続された外部ケーブル用コネクタ１５と接続可能である。    【選択図】          図１
2008017172.tif 000002
【特許請求の範囲】
【請求項１】
内部アンテナと、該内部アンテナに接続された内部アンテナケーブルと、該内部アンテナケーブル先端に設けられた内部アンテナ用コネクタと、通信機本体側面に設けられたアンテナ用コネクタとを具備し、該アンテナ用コネクタには前記内部アンテナ用コネクタが接続可能であると共に外部アンテナに接続された外部ケーブル用コネクタと接続可能であることを特徴とする通信機器。
【発明の詳細な説明】
【技術分野】
【０００１】
本発明は通信機器、特に内部アンテナを具備した通信機器に関するものである。
【背景技術】
【０００２】
アンテナを必要とする通信機器に於いて、移動可能な通信機器では、移動中或はアンテナ設備がない場所での使用を可能とする為、内部アンテナを具備している。一方で、アンテナ設備がある場所で使用する場合は、より能力、精度の高い固定式の外部アンテナが使用される。
【０００３】
従って、内部アンテナを具備する通信機器では、内部アンテナと外部アンテナとの切換えが可能な構成となっている。
【０００４】
図２に於いて、従来の通信機器について説明する。
【０００５】
図２中、１は通信機器、２は通信回路、電源部等を収納する通信機本体を示し、該通信機本体２の上側にはアンテナ収納部３が設けられている。
【０００６】
該アンテナ収納部３は前記通信機本体２の上面に設けられた内部アンテナ４と、該内部アンテナ４を収納するアンテナカバー５を具備している。
【０００７】
前記内部アンテナ４に接続された内部アンテナケーブル６は前記通信機本体２内部を引回され、該通信機本体２の側面に設けられた内部アンテナ用コネクタ７に接続されている。又前記通信機本体２内部の通信回路に接続された本体ケーブル８は、前記通信機本体２の側面に設けられたアンテナ用コネクタ９に接続されている。
【０００８】
従来の通信機器１では、前記内部アンテナ４を使用する為に内部アンテナ接続ケーブル１１が用意されている。該内部アンテナ接続ケーブル１１は一端に内部アンテナ用中継コネクタ１２が設けられ、他端に回路用中継コネクタ１３が設けられ、前記内部アンテナ用中継コネクタ１２は前記内部アンテナ用コネクタ７と接続可能であり、前記回路用中継コネクタ１３は前記アンテナ用コネクタ９に接続可能となっている。
【０００９】
又、外部アンテナ（図示せず）に接続された外部ケーブル１４の先端には外部ケーブル用コネクタ１５が設けられ、該外部ケーブル用コネクタ１５は前記アンテナ用コネクタ９に接続可能となっている。
【００１０】
前記内部アンテナ４が使用される場合は、前記内部アンテナ接続ケーブル１１を用い、前記内部アンテナ用中継コネクタ１２を前記内部アンテナ用コネクタ７に接続し、又前記回路用中継コネクタ１３を前記アンテナ用コネクタ９に接続する。前記内部アンテナ接続ケーブル１１を介して前記内部アンテナケーブル６と前記本体ケーブル８が接続されることで、前記内部アンテナ４は通信回路のアンテナとして機能する。
【００１１】
又、外部アンテナが使用される場合は、前記内部アンテナ接続ケーブル１１を取除き、前記外部ケーブル用コネクタ１５を前記アンテナ用コネクタ９に接続する。前記本体ケーブル８、前記外部ケーブル１４が接続されることで、外部アンテナが通信回路のアンテナとして機能する。
【００１２】
従来の通信機器１では、前記内部アンテナ４と外部アンテナとの切換えを前記内部アンテナ接続ケーブル１１を用いて行っており、該内部アンテナ接続ケーブル１１を別途用意する必要があり、該内部アンテナ接続ケーブル１１を製作する為のコストが掛り、又紛失しない様管理する必要がある。
【００１３】
又、前記通信機本体２には前記内部アンテナ用コネクタ７を設ける為のスペースを必要とし、更に該内部アンテナ用コネクタ７と前記アンテナ用コネクタ９とは近接して設ける必要がある等の制約を受ける。又、前記内部アンテナ４の前記内部アンテナケーブル６が前記通信機本体２内部を引回される為、配線作業が繁雑になる。
【００１４】
更に、前記内部アンテナケーブル６、前記アンテナ用コネクタ９が前記内部アンテナ接続ケーブル１１を介して接続される為、接続箇所が多くなり接続箇所での信号の劣化、又該内部アンテナ接続ケーブル１１自体での信号の劣化が発生する。
【００１５】
【特許文献１】特開平１０−３０２９１９号公報
【発明の開示】
【発明が解決しようとする課題】
【００１６】
本発明は斯かる実情に鑑み、内部アンテナ接続ケーブルを不要とし、コストの低減を図ると共に省スペース化、小型化を図り、更にアンテナを接続する場合の接続箇所を少なくし、ケーブル長を短くして信号の劣化を防止し、更に消費電力の低減を図るものである。
【課題を解決するための手段】
【００１７】
本発明は、内部アンテナと、該内部アンテナに接続された内部アンテナケーブルと、該内部アンテナケーブル先端に設けられた内部アンテナ用コネクタと、通信機本体側面に設けられたアンテナ用コネクタとを具備し、該アンテナ用コネクタには前記内部アンテナ用コネクタが接続可能であると共に外部アンテナに接続された外部ケーブル用コネクタと接続可能である通信機器に係るものである。
【発明の効果】
【００１８】
本発明によれば、内部アンテナと、該内部アンテナに接続された内部アンテナケーブルと、該内部アンテナケーブル先端に設けられた内部アンテナ用コネクタと、通信機本体側面に設けられたアンテナ用コネクタとを具備し、該アンテナ用コネクタには前記内部アンテナ用コネクタが接続可能であると共に外部アンテナに接続された外部ケーブル用コネクタと接続可能であるので、前記内部アンテナと前記アンテナ用コネクタとを接続する為の内部アンテナ接続ケーブルを必要とせず、コストの低減が図れると共に前記内部アンテナと前記アンテナ用コネクタとを接続する際の接続箇所が少なくなり、又ケーブル長が短くてよく、信号の劣化を防止でき、更に信号の劣化防止に伴い消費電力が少なくなり、節電が図れる等の優れた効果を発揮する。
【発明を実施するための最良の形態】
【００１９】
以下、図面を参照しつつ本発明を実施する為の最良の形態を説明する。
【００２０】
図１は本発明に係る通信機器の一例を示しており、図１中、図２中で示したものと同等のものには同符号を付してある。
【００２１】
通信機器１は、通信回路、電源部等を収納する通信機本体２と、該通信機本体２の上側に位置するアンテナ収納部３とを具備している。
【００２２】
前記通信機本体２の上面には内部アンテナ４が設けられ、該内部アンテナ４に接続された内部アンテナケーブル６は前記通信機本体２の外部に引出され、前記内部アンテナケーブル６の先端には内部アンテナ用コネクタ１６が設けられている。前記内部アンテナケーブル６はアンテナカバー５の内部に収納可能であると共に後述するアンテナ用コネクタ９に接続可能な長さを有している。
【００２３】
前記アンテナカバー５は、前記通信機器１に対して着脱可能となっており、好ましくは、工具を使用せずに取外しが可能とする。例えば、前記アンテナカバー５を前記通信機本体２に固定する固着具として、手動で操作できるクランプ等が用いられる。
【００２４】
前記通信機本体２の上面の所要位置、好ましくは角部に、コネクタホルダ１７が設けられる。該コネクタホルダ１７に対して前記内部アンテナ用コネクタ１６は着脱可能であり、前記コネクタホルダ１７は前記内部アンテナ用コネクタ１６を適宜な保持力、例えば、前記通信機器１の移動中の振動、衝撃等で外れず、更に手作業で容易に前記内部アンテナ用コネクタ１６を外せる様な保持力を有している。
【００２５】
前記通信機本体２の一面には前記アンテナ用コネクタ９が設けられ、該アンテナ用コネクタ９と前記通信機本体２に収納されている通信回路とは本体ケーブル８によって接続されている。前記内部アンテナ用コネクタ１６は前記アンテナ用コネクタ９と接続可能となっている。
【００２６】
又、外部アンテナ（図示せず）に接続された外部ケーブル１４の先端には外部ケーブル用コネクタ１５が設けられ、該外部ケーブル用コネクタ１５は前記アンテナ用コネクタ９に接続可能となっている。
【００２７】
前記内部アンテナ４を使用する場合は、前記内部アンテナ用コネクタ１６を前記コネクタホルダ１７から外し、前記内部アンテナ用コネクタ１６を前記アンテナ用コネクタ９に接続する。通信回路は前記本体ケーブル８、前記アンテナ用コネクタ９、前記内部アンテナ用コネクタ１６、前記内部アンテナケーブル６を介して前記内部アンテナ４に接続され、該内部アンテナ４は通信回路のアンテナとして機能する。
【００２８】
外部アンテナを使用する場合は、前記内部アンテナ用コネクタ１６を前記アンテナ用コネクタ９から外し、前記外部ケーブル用コネクタ１５を前記アンテナ用コネクタ９に接続する。
【００２９】
通信回路は前記本体ケーブル８、前記アンテナ用コネクタ９、前記外部ケーブル用コネクタ１５、前記外部ケーブル１４を介して外部アンテナに接続され、該外部アンテナが通信回路のアンテナとして機能する。
【００３０】
尚、長期間前記内部アンテナ４を使用しない場合は、前記内部アンテナ用コネクタ１６を前記コネクタホルダ１７に保持させ、前記内部アンテナケーブル６を前記アンテナ収納部３内に収納して前記アンテナカバー５を取付ける。又、前記内部アンテナケーブル６の収納作業を容易にする為、前記通信機本体２の上面に適宜ケーブルクランプを設けてもよい。
【００３１】
本実施の形態では、従来の通信機器で必要とした内部アンテナ接続ケーブル１１が不要となる。又、前記内部アンテナケーブル６が直接前記本体ケーブル８に接続される構成となる。
【００３２】
この為、前記内部アンテナ４を使用する場合、接続箇所が少なくなり、又ケーブル長が短くなるので、受信した信号の劣化が防止できる。信号の劣化が防止されることで増幅等の信号処理が容易になり、処理電力の節約が可能となる。
【００３３】
又、前記内部アンテナ４を通信回路に接続する為の内部アンテナ接続ケーブル１１等を必要としない為、該内部アンテナ接続ケーブル１１の管理が不要であり、該内部アンテナ接続ケーブル１１を紛失する等事故が生じない。
【００３４】
更に、本実施の形態では、前記通信機本体２には前記アンテナ用コネクタ９を設けるだけでよいので、従来の通信機器と比較すると、前記内部アンテナ用コネクタ７を設ける為に必要なスペース（図１中、Ｗで示す）分だけ小型化が可能となる。又、前記内部アンテナケーブル６を前記通信機本体２内部で引回す必要がなくなり、該通信機本体２内部での配線処理が簡単になる。
【図面の簡単な説明】
【００３５】
【図１】本発明の実施の形態を示す斜視図である。
【図２】従来の通信機器を示す斜視図である。
【符号の説明】
【００３６】
１              通信機器
２              通信機本体
３              アンテナ収納部
４              内部アンテナ
５              アンテナカバー
６              内部アンテナケーブル
８              本体ケーブル
９              アンテナ用コネクタ
１６            内部アンテナ用コネクタ
１７            コネクタホルダ
【図１】
2008017172.tif 000003
【図２】
2008017172.tif 000004